【事件の表示】
　平成　４年特許願第２５６１２９号「電気掃除機」拒絶査定に対する審判事件[平成　６年　４月１９日出願公開、特開平　６−１０５７７７］について、次のとおり審決する。
【結　論】
　本件審判の請求は、成り立たない。
【理　由】
１．手続の経緯・本願発明
  本願は、平成４年９月２５日の出願であって、その請求項１に係る発明は、特許請求の範囲の請求項１に記載された次のとおりのものと認める。（以下、「本願発明」という。）
「電動送風機および該電動送風機を制御する本体制御手段とを内蔵する掃除機本体と、該掃除機本体に接続されるホースと、該ホースに接続されると共に、手元制御手段及び該手元制御手段を駆動する電池を有する手元操作部とを備える電気掃除機であって、
　前記手元制御手段は、前記電動送風機の運転指令を入力するスイッチ手段と、該スイッチ手段から入力された運転指令情報を前記掃除機本体へ無線で送信する送信手段と、前記スイッチ手段の入力操作に応じて前記手元制御手段の動作状態を表示する表示手段とを備え、
　前記表示手段は表示素子とダイオードとを有し、該表示素子と該ダイオードとを直列に接続したことを特徴とする電気掃除機。」
　
２．引用例
  これに対して、原査定の拒絶の理由に引用された特開平４−３０８２３号公報（以下、「引用例１」という。）には、「電動送風機およびこの電動送風機に連通する集塵室を内部に設けるとともにこの集塵室に連通する差込口を外面部に設けた掃除機本体と、導電体からなる保形用ワイヤーを内蔵した可撓性を有するホース本体部、このホース本体部の一端部に設けられ前記掃除機本体の差込口に着脱自在に差込み接続される差込管部および前記ホース本体部の他端側に設けられた握り管部により構成されたホースとを備え、このホースには、電池と、前記握り管部に位置する操作部とを有し、前記電池を電源としかつ前記保形用ワイヤーを送信アンテナとして前記操作部の操作に応じた信号を無線で送信する送信装置を設け、前記掃除機本体には、前記差込口近傍に位置する受信アンテナを有し前記ホースの送信装置から送信された信号を受信する受信装置と、この受信装置により受信された信号に応じて前記電動送風機を制御する制御装置とを設けたことを特徴とする電機掃除機。」（特許請求の範囲）、「とくに第８図に示すように、前記ホース61の端部に設けられた握り管部64の基部外周側にはカバー82がねじ83などにより固定されており、このカバー82内に送信装置86の主要部分が内蔵されている。すなわち、前記カバー82内には、着脱自在の電池87と、常開型スイッチ88および他の各種電子部品89を搭載した回路基板90となどが内蔵されている。また、前記カバー82の上面部には操作部としての操作ボタン91が上下動自在に支持されている。この操作ボタン91は、使用者が前記常開型スイッチ88を開閉操作するためのものである。」（第５頁右上欄第１３行〜同頁左下欄第３行）、「同じく信号をホース61側から掃除機本体11側へ電波により送ることにより、そのための送信アンテナと兼用される保形用ワイヤー81は最低１条でよくなり、したがって、保形用ワイヤー66，67が最低２条必要であった従来の電機掃除機に比べて、コストダウンされたホース61とすることができる。」（第８頁左上欄第７〜１３行）と記載されている。また、第８図には、電池、操作部および送信装置がホースに接続された構造が示されている。
  同じく、引用された実願昭６０−１５２６４１号（実開昭６２−６１６５８号）のマイクロフィルム（以下、「引用例２」という。）には、電気掃除機に関するものであって、「(20)は前部に吸込口付収塵ケース(21)を備えた掃除機本体で、フアンモモータ(13)、二次電池(10)及びスライド式強弱切替スイッチ(22)を内装すると共に底面に受電端子(6)(7)を備えている。・・・(26)は前記本体(20)内に収納される本案の本体回路部で、そのスライド式強弱切替スイッチ(22)は二次電池(10)の正極に接続した共通接点(22a)と、表示ランプ回路(14)を接続した弱接点(22b)と、フアンモータ(13)を接続した強接点(22c)とを順次配設すると共に、前記スライドツマミ(23)に連動して前記共通接点(22a)、弱接点(22b)、強接点(22c)を順次電気的接続する摺動接片(22d)を有している。そして前記スライドツマミ(23)を「切」位置に位置したときには前記摺動接片(22d)は各接点(22a)(22b)(22c)に接続せず、「弱」位置に摺動したときには摺動接片(22d)は共通接点(22a)と弱接点(22b)とを電気的接続し、「強」位置に摺動したときには摺動接片(22d)は各接点(22a)(22b)(22c)を電気的接続する。前記電圧降下抵抗(19)は前記弱接点(22b)と強接点(22c)との間に介挿接続される。また表示ランプ回路(14)の低電圧ダイオード(16)、第1抵抗(17)の値は前記フアンモータ(13)の使用が可能となる所定電圧以上のときに発光ダイオード(18)を点灯し、前記所定電圧以下のときには発光ダイオード(18)が消灯するように選定してある。・・・一方掃除機本体(20)を使用するために前記スイッチ(22)を「弱」位置にするとフアンモータ(13)は二次電池(10)電源で弱運転してカーテンやテーブルクロス上のゴミを収塵するのに適した弱い収塵力を有すると共に発光ダイオード(18)を点灯して電池(10)電圧が十分であることを表示し、また前記スイッチ(22)を「強」位置にするとフアンモータ(13)は強運転してテーブルや畳の上のゴミを収塵するのに適した強い収塵力を有すると共に発光ダイオード(18)を点灯して電池(10)電圧が十分であることを表示する。電池(10)電圧が低下すると発光ダイオード(18)が消灯して該電池(10)に充電すべきことを使用者に報知する。」（明細書第５頁第２０行〜同８頁第７行）と記載されている。また、第１図には、発光ダイオード(18)と低電圧ダイオード(16)が直列に接続された本体回路部(26)が示されている。
　
３．対比
  本願発明と引用例１に記載された発明を対比すると、引用例１に記載のものにおける「制御装置」が本願発明における「本体制御手段」に相当し、以下同様に「電池、操作部及び送信装置」が「手元制御部」に、「操作部及び送信装置」が「手元制御手段」に、「操作ボタン及び常開型スイッチ」が「スイッチ手段」に、「操作部の操作に応じた信号」が「運転指令情報」にそれぞれ相当している。
　したがって、両者は、「電動送風機および該電動送風機を制御する本体制御手段とを内蔵する掃除機本体と、該掃除機本体に接続されるホースと、該ホースに接続されると共に、手元制御手段及び該手元制御手段を駆動する電池を有する手元操作部とを備える電気掃除機であって、
　前記手元制御手段は、前記電動送風機の運転指令を入力するスイッチ手段と、該スイッチ手段から入力された運転指令情報を前記掃除機本体へ無線で送信する送信手段とを備えたことを特徴とする電気掃除機。」である点で一致し、
本願発明が、スイッチ手段の入力操作に応じて手元制御手段の動作状態を表示する表示手段を備え、前記表示手段は表示素子とダイオードとを有し、該表示素子と該ダイオードとを直列に接続したものであるのに対し、引用例１に記載のものは、そのような構成を備えていない点で相違している。
　
４．当審の判断
  上記相違点について以下検討する。
　引用例２には、電気掃除機において、スイッチ手段（「スライド式強弱切替スイッチ(22)」が相当）の入力操作に応じて手元制御手段（「スライドツマミ(23)」が相当）の動作状態を表示するために表示手段（「発光ダイオード(18)、低電圧ダイオード(16)」が相当）を備え、かつ、電池（「二次電池(10)」が相当）の交換時期（「電池(10)電圧が低下すると発光ダイオード(18)が消灯して該電池(10)に充電すべきこと」が相当）を報知するために、該表示手段を表示素子（「発光ダイオード(18)」が相当）とダイオード（「低電圧ダイオード(16)」が相当）とを直列に接続した技術が記載されている。
  引用例１及び２に記載のものは、何れも電気掃除機という同一の技術分野に属するものであり、しかも、引用例１記載のものにおいて、動作状態の表示及び電池交換時期の報知という機能を備えることが好ましいことは明らかであると共に該機能の具備を阻害する要因も何等見出せない以上、引用例１記載のものに、引用例２記載の技術を適用し、本願発明の構成とすることは当業者が容易に成し得るところである。
　そして、本願発明の奏する効果は、各引用例に記載の事項から当業者が予測しうる範囲のものにすぎない。
　
５．むすび
  したがって、本願発明は、引用例１及び２に記載された発明に基いて当業者が容易に発明をすることができたものであるので、特許法第２９条第２項の規定により特許を受けることができない。
  よって、結論のとおり審決する。